(57)【特許請求の範囲】
【請求項１】
第１メニュー画面は、第１系統用スイッチ及び第２系統用スイッチで構成され、第２メニュー画面は、前記第１系統用スイッチ及び前記第２系統用スイッチの配置を４：４、６：２、２：６、３：３のいずれかの配置数比で示す複数パターンの配置スイッチで構成される表示手段と、この表示手段に表示される第２メニュー画面の配置スイッチを選択すると、第１メニュー画面での前記第１系統用スイッチ及び前記第２系統用スイッチの配置を決定し、前記表示手段へ表示する処理手段とを備えた車載表示装置。
【請求項２】
第２メニュー画面では、前記第１系統用スイッチ、あるいは、前記第２系統用スイッチの中で、選択できる選択肢の個数を表示する表示手段を備えた請求項１記載の車載表示装置。
【請求項３】
第２メニュー画面では、前記第１系統用スイッチ、あるいは、前記第２系統用スイッチの選択肢スイッチを表示し、前記処理手段は、選択肢スイッチが選択されると、その選択に応じた選択枝スイッチを、前記表示手段の第１メニュー画面へ表示する請求項１記載の車載表示装置。
【発明の詳細な説明】
【技術分野】
【０００１】
本発明は、車載装置にヒューマン・マシン・インターフェース（ＨＭＩ）を適用した車載表示装置に関する。
【背景技術】
【０００２】
車載装置は、ナビゲーション（ＮＡＶＩ）系統及びオーディオビジュアル（ＡＶ）系統を兼ね備える。この車載装置は、ツートップメニュー１を採用する（図１）。ツートップメニュー１は、ＮＡＶＩ用スイッチ２及びＡＶ用スイッチ３の並列配置を採用する。つまり、ツートップメニューは、ナビゲーション系統及びＡＶ系統への操作を１画面で提供することを可能にする。しかも、この車載装置は、ツートップメニュー１の個人化（パーソナライズ）を可能にする（図２）。すなわち、ユーザは、ナビ選択肢４からＮＡＶＩ用スイッチ２を３つ選択して、これらをツートップメニュー１の要素にする。この選択は、ＡＶ用スイッチ２でも可能である（非特許文献１）。
【非特許文献１】Ｐａｎａｓｏｎｉｃ  ＨＤＤカーナビステーション  ＣＮ−ＨＤＳ９６５ＴＤ／ＣＮ−ＨＤＳ９４５ＴＤ／ＣＮ−ＨＤＳ９１５ＴＤ  取扱説明書
【発明の開示】
【発明が解決しようとする課題】
【０００３】
ユーザが要求するのは、ツートップメニュー１を構成するスイッチの個数を個人化することである。しかし、スイッチ個数の個人化は、課題を有する。すなわち、第１系統用スイッチ（例えば、ＮＡＶＩ用スイッチ２）が数限りなくツートップメニュー１の要素になると、第２系統用スイッチ（例えば、ＡＶ用スイッチ３）はツートップメニュー１の要素となる余地を失う。配置されるスイッチの総数は、画面の大きさによって制限されるからである。
【課題を解決するための手段】
【０００４】
本発明に係る車載表示装置は、上記目的を達成するために、第１メニュー画面は、第１系統用スイッチ及び第２系統用スイッチで構成され、第２メニュー画面は、前記第１系統用スイッチ及び前記第２系統用スイッチの配置を４：４、６：２、２：６、３：３のいずれかの配置数比で示す複数パターンの配置スイッチで構成される表示手段と、この表示手段に表示される第２メニュー画面の配置スイッチを選択すると、第１メニュー画面での前記第１系統用スイッチ及び前記第２系統用スイッチの配置を決定し、前記表示手段へ表示する処理手段とを備えた構成である。
【発明の効果】
【００１０】
本発明は、スイッチの個数を個人化した後にスイッチ自体を個人化することで、ユーザの意思に沿ったメニュー画面を実現できる。
【発明を実施するための最良の形態】
【００１１】
図３乃至図１０は、本発明を実施するための最良の形態（以下、本実施の形態という）を示す。
【００１２】
＜ツートップメニュー＞図３が示すのは、ツートップメニュー（メニュー画面）１１である。ツートップメニュー１１の構成要素は、２個のナビゲーション（ＮＡＶＩ）用スイッチ（第１系統用スイッチ）１２及び６個のオーディオビジュアル（ＡＶ）用スイッチ（第２系統用スイッチ）１３である。
【００１３】
＜個人化画面＞図４が示すのは、選択肢スイッチ１４、配置スイッチ（個人化画面）１５、テキスト１６及び中止スイッチ１７である。選択肢スイッチ１４、配置スイッチ１５、テキスト１６及び中止スイッチ１７が表示されるのは、同時である。図５が示すのは、本実施の形態に係る画面コピーを抽象化したものである。
【００１４】
選択肢スイッチ（選択肢）１４は、ＮＡＶＩ選択肢スイッチ又はＡＶ選択肢スイッチである。ＮＡＶＩ選択肢スイッチが表示されるのは、ＮＡＶＩ用スイッチ１２を個人化するためである。ＡＶ選択肢スイッチが表示されるのは、ＡＶ用スイッチ１３を個人化するためである。本実施の形態では、配置スイッチ１５とともに表示されるのは、ＮＡＶＩ選択肢スイッチ及びＡＶ選択肢スイッチの一方のみである。
【００１５】
４つの配置スイッチ１５が表示されるのは、ＮＡＶＩ用スイッチ１２の個数及びＡＶ用スイッチ１３の個数を個人化するためである。配置スイッチ１５が示すのは、ＮＡＶＩ用スイッチ１２の配置及びＡＶ用スイッチ１３の配置である。これらの配置が示すのは、ＮＡＶＩ用スイッチ１２の個数及びＡＶ用スイッチ１３の個数である。本実施の形態では、ＮＡＶＩ用スイッチ１２の個数とＡＶ用スイッチ１３の個数との関係（以下、配置数比という）は、「４：４」、「６：２」、「２：６」及び「３：３」の中から選択される。図６が示すのは、配置スイッチ１５の一例である。配置スイッチ１５は、四角形１８及び境界１９からなる。四角形１８が示すのは、ＮＡＶＩ用スイッチ１２の位置及びＡＶ用スイッチ１３の位置である。境界１９が示すのは、ＮＡＶＩ用スイッチ１２の位置とＡＶ用スイッチ１３の位置との境目である。
【００１６】
テキスト１６が表示されるのは、ＮＡＶＩ選択肢から選択すべきＮＡＶＩ用スイッチ１２の個数及びＡＶ選択肢から選択すべきＡＶ用スイッチ１３の個数を数字で示すためである。すなわち、ＮＡＶＩ用スイッチ１２の個数が数字で示されるのは、ＮＡＶＩ選択肢スイッチが表示されている時である。また、ＡＶ用スイッチ１３の個数が数.字で示されるのは、ＡＶ選択肢スイッチが表示されている時である。
【００１７】
中止スイッチ１７が表示されるのは、配置スイッチ１５による個人化を中止するためである。
【００１８】
＜画面遷移＞図７が示すのは、個人化における画面遷移である。個人化を開始するための操作（Ｓ１）は、選択肢スイッチ１４ａ及びテキスト１６ａ及び配置スイッチ１５からなる画面を導く。最初に選択されている配置スイッチ１５は、個人化前の配置数比を示す。選択肢スイッチ１４ａは、前述のとおり、ＮＡＶＩ選択肢及びＡＶ選択肢の一方である。テキスト１６ａは、ユーザが選択すべき選択肢スイッチ１４ａの個数を示す。テキスト１６ａで示される個数は、配置スイッチ１５の選択で変化する。配置スイッチ１５の選択が選択肢スイッチ１４ａの選択後に行われた場合、テキスト１６ａが示す選択すべきスイッチの個数は、当然、変化する。もっとも、選択肢スイッチ１４ａに関する選択済みの状態は、一旦解除されてもよいし、保持されてもよい。
【００１９】
配置スイッチ１５への操作が行われた場合、選択された選択肢スイッチ１４ａの個数とテキスト１６ａで示される個数との一致（Ｓ２）は、選択肢スイッチ１４ｂ及びテキスト１６ｂからなる画面を導く。選択肢スイッチ１４ｂは、配置スイッチ１５とともに表示されなかったものである。テキスト１６ｂは、ユーザが選択すべき選択肢スイッチ１４ｂの個数を示す。例えば、配置スイッチ１５及びＮＡＶＩ選択肢が同時に表示されていた場合、選択肢スイッチ１４ｂは、ＡＶ選択肢である。また、テキスト１６ｂは、ユーザが選択すべきＡＶ選択肢の個数を示す。
【００２０】
選択された選択肢スイッチ１４ｂの個数とテキスト１６ｂで示される個数との一致（Ｓ３）は、個人化を完了する。これは、個人化されたツートップメニュー１１への遷移を導く。
【００２１】
配置スイッチ１５への操作が行われない場合、選択された選択肢スイッチ１４ａの個数とテキスト１６ａで示される個数との一致（Ｓ４）は、個人化を完了する。これは、個人化されたツートップメニュー１１への遷移を導く。例えば、配置スイッチ１５及びＮＡＶＩ選択肢が同時に表示されていた場合、ＮＡＶＩ用スイッチ１２だけが個人化され、ＡＶ用スイッチ１３は、個人化前のものと同じになる。
【００２２】
中止スイッチ１７への操作（Ｓ５、Ｓ６）は、個人化を完了する。これは、個人化前におけるツートップメニュー１１への遷移を導く。
【００２３】
＜ハードウエア構成＞図８が示すのは、車載装置３０のハードウエア構成である。車載装置３０は、処理部３１を備える。処理部３１が接続されるのは、２次記憶装置３２、入力装置３３、ＧＰＳ装置３４、航法センサ３５、スピーカ３６、表示装置３７及び周辺機器３８である。
【００２４】
処理部３１は、Ｉ／Ｏ、ＲＯＭ、ＲＡＭやＣＰＵ等を備える。これらは、システムバスで互いに接続される。ＲＯＭは、プログラム及び内部データを記憶する。ＣＰＵは、前述のプログラムを実行して、ＡＶ系統の機能、ＮＡＶＩ系統の機能やメニュー系統の機能を実現する。ＲＡＭは、プログラム、内部データ、演算結果や入力値などを保持する。入力値は、ＧＰＳ装置３４、航法センサ３５や入力装置３３等から処理部３１へ入力された値である。
【００２５】
２次記憶装置３２は、ＮＡＶＩデータやＡＶデータなどを記憶する。ＮＡＶＩデータは、地図画像、案内音声や道路ネットワークなどである。ＡＶデータは、楽曲や映像などである。
【００２６】
入力装置３３は、リモートコントローラやタッチパネル等である。タッチパネルは、表示装置３７の表示面に設けられる。
【００２７】
＜内部データ＞図９が示すのは、内部データ構造である。内部データは、画面構成要素、配置定義４３や命令定義４４を含む。
【００２８】
画面構成要素は、ＮＡＶＩ用スイッチ１２、ＡＶ用スイッチ１３、選択肢スイッチ１４、配置スイッチ１５やテキスト１６などである。
【００２９】
配置（レイアウト）定義４３は、画面構成要素（「ＥＬＥＭＥＮＴ」）の配置を定義する。ツートップメニュー１１は、４種類の配置定義（配置定義♯１（配置数比４対４）、配置定義＃２（配置数比６対２）、配置定義＃３（配置数比２対６）及び配置定義＃４（配置数比３対３））を持つ。しかも、ツートップメニュー１１での「ＥＬＥＭＥＮＴ」は、ＮＡＶＩ用スイッチ１２及びＡＶ用スイッチ１３である。配置定義４３に関連する技術は、特開２００６−２３１６２７号公報（画像形成装置）に開示されている。
【００３０】
命令（コマンド）定義４４は、各スイッチによる命令を定義する。命令定義４４での「ＥＬＥＭＥＮＴ」は、配置定義４３での「ＥＬＥＭＥＮＴ」に対応する。「ＥＬＥＭＥＮＴ」が「配置スイッチ１５」である場合、命令内容は、ツートップメニュー１１の表示時にどの配置定義を使用するかを決定するための命令である（配置数比の変更）。
【００３１】
＜ソフトウエア構成＞図１０が示すのは、車載装置３０のソフトウエア構成である。プログラムは、オペレーティングシステム（ＯＳ）４０、アプリケーション（ＡＰＰ）４１やメニューモジュール４２等である。
【００３２】
メニューモジュール４２は、画面構成要素の配置をＯＳ４０に渡す。画面構成要素の配置を決める要素は、配置定義４３、入力値（選択された選択肢スイッチ１４の個数やタッチ座標等、以下同じ）、ＡＰＰ４１からの画面遷移要求や表示装置３７での画面状態などである。これらのデータは、ＲＡＭに保持されている。画面構成要素の配置がＯＳ４０に渡ると、表示装置３７は、ツートップメニュー１１、選択肢スイッチ１４、配置スイッチ１５やテキスト１６等を画面構成要素の配置に従って表示する。つまり、ＯＳ４０及びメニューモジュール４２は、前述の画面遷移を実現する。
【００３３】
メニューモジュール４２は、機能実行命令をＡＰＰ４１に渡す。機能実行命令を決める要素は、命令定義４４、入力値や表示装置３７での画面状態などである。これらのデータは、ＲＡＭに保持されている。機能実行命令は、ＡＶ系統の各機能及びＮＡＶＩ系統の各機能の実行を導く。
【００３４】
＜本実施の形態における効果＞配置スイッチ１５は、ＮＡＶＩ用スイッチ１２の個人化後の個数及びＡＶ用スイッチ１３の個人化後の個数をユーザに直感的に把握させることを可能にする。
【００３５】
配置スイッチ１５が表示されるのは、選択肢スイッチ１４の表示時である。すなわち、配置スイッチ１５から選択肢スイッチ１４への画面遷移が省略されるのは、ユーザを画面遷移の煩わしさから解放するためである。
【００３６】
テキスト１６が表示されるのは、選択肢スイッチ１４への操作回数をユーザに把握させることを可能にする。
【００３７】
＜変形例＞配置スイッチ１５が表示されるのは、選択肢スイッチ１４の表示前でもよい。配置スイッチ１５は、数値指定スイッチに代替されうる。
【産業上の利用可能性】
【００３８】
本発明は、カーナビゲーション、カーオーディオ、カーテレビやカメラシステム等に有用である。
【図面の簡単な説明】
【００３９】
【図１】背景技術に係るツートップメニューの画面コピー図
【図２】背景技術に係る選択肢からなる画面の画面コピー図
【図３】本発明に係るツートップメニューの画面コピー図
【図４】本発明に係る配置スイッチ、選択肢及びテキストで構成される画面の画面コピー図
【図５】本発明に係る配置スイッチ、選択肢及びテキストで構成される画面を示す図
【図６】本発明に係る配置スイッチを示す図
【図７】本発明に係る画面遷移を示す図
【図８】本発明に係る車載装置のハードウエア構成を示す図
【図９】本発明に係る内部データ構造を示す図
【図１０】本発明に係る車載装置のソフトウエア構成を示す図
【符号の説明】
【００４０】
１１    ツートップメニュー（メニュー画面）
１２    ＮＡＶＩ用スイッチ（第１系統用スイッチ）
１３    ＡＶ用スイッチ（第２系統用スイッチ）
１４    選択肢
１５    配置スイッチ（個人化画面）
１６    テキスト（個数）
３０    車載装置
３１    処理部
３７    表示装置
【図５】
0005194651.tif 000002
【図６】
0005194651.tif 000003
【図７】
0005194651.tif 000004
【図８】
0005194651.tif 000005
【図９】
0005194651.tif 000006
【図１０】
0005194651.tif 000007
【図１】
0005194651.tif 000008
【図２】
0005194651.tif 000009
【図３】
0005194651.tif 000010
【図４】
0005194651.tif 000011